(57)【要約】      （修正有）【課題】吸引の効果を向上させることができる負圧形成装置および負圧マッサージ装置を提供する。【解決手段】負圧形成装置は、吸引口１Ａが形成されている中空部１と、中空部１内に取り付けられるピストン３と、ピストン３が中空部１内において往復移動をするように駆動することにより吸引口１Ａに負圧を形成する駆動装置５とを含む。【選択図】図３
0003234244.tif 000002
【実用新案登録請求の範囲】
【請求項１】
吸引口（１Ａ）が形成されている中空部（１）と、該中空部（１）内に取り付けられるピストン（３、３’、３’’）と、該ピストン（３、３’、３’’）が前記中空部（１）内において往復移動をするように駆動することにより前記吸引口（１Ａ）に負圧を形成する駆動装置（５）とを含むことを特徴とする負圧形成装置。
【請求項２】
前記ピストン（３、３’、３’’）は、ピストン本体（３１）と、該ピストン本体（３１）の外周に取り付けられることにより前記ピストン（３、３’、３’’）と前記中空部（１）の壁部との間の隙間を密閉するシーリングリング（３３、３３’）とを含むことを特徴とする請求項１に記載の負圧形成装置。
【請求項３】
前記ピストン本体（３１）の外周には密閉用凹部（３１１）が形成され、前記シーリングリング（３３、３３’）は前記密閉用凹部（３１１）内に取り付けられることを特徴とする請求項２に記載の負圧形成装置。
【請求項４】
前記シーリングリング（３３、３３’）は、前記ピストン本体（３１）と間隔を空いて形成される円弧部（３３１）と、前記ピストン（３、３’、３’’）の往復移動方向の両端から前記密閉用凹部（３１１）側にそれぞれ延伸しかつ前記密閉用凹部（３１１）に連結される固定部（３３３）とを含み、前記円弧部（３３１）、前記固定部（３３３）および前記ピストン本体（３１）により収縮空間（３３Ａ）が形成され、前記円弧部（３３１）は前記収縮空間（３３Ａ）側に収縮することができることを特徴とする請求項３に記載の負圧形成装置。
【請求項５】
前記負圧形成装置はマッサージ部品（４）を更に含み、前記マッサージ部品（４）は、前記吸引口（１Ａ）に向いている前記ピストン本体（３１）の一側に固定される固定支持部（４１）と、前記ピストン本体（３１）から離れている前記固定支持部（４１）の一側に形成される少なくとも１つのマッサージ突起（４３）とを含むことを特徴とする請求項２〜４のうちいずれか一項に記載の負圧形成装置。
【請求項６】
前記マッサージ部品（４）と前記シーリングリング（３３、３３’）は一体に成型され、前記固定支持部（４１）の周辺は前記シーリングリング（３３、３３’）に連結されることを特徴とする請求項５に記載の負圧形成装置。
【請求項７】
前記中空部（１）は前記ピストン（３、３’、３’’）により第一中空部（１Ｂ）と第二中空部（１Ｃ）に分割され、前記第一中空部（１Ｂ）と前記吸引口（１Ａ）は連通状態にされ、前記ピストン（３’、３’’）は前記第一中空部（１Ｂ）と前記第二中空部（１Ｃ）を連通状態にする単方向性排気構造（３５）を含むことを特徴とする請求項２に記載の負圧形成装置。
【請求項８】
前記単方向性排気構造（３５）は、前記ピストン本体（３１）を貫通するように形成されかつ前記第一中空部（１Ｂ）と前記第二中空部（１Ｃ）を連通状態にする排気孔（３５１）と、前記ピストン本体（３１）上に取り付けられかつ前記第一中空部（１Ｃ）から離れている前記排気孔（３５１）の一側を塞ぐ排気孔ストッパー（３５３、３５３’）とを含むことを特徴とする請求項７に記載の負圧形成装置。
【請求項９】
前記排気孔ストッパー（３５３）は、前記吸引口（１Ａ）から離れている前記ピストン本体（３１）の一側に固定されるストッパー本体（３５５）と、前記排気孔（３５１）を塞ぐ塞ぎ部分（３５７）とを含み、前記塞ぎ部分（３５７）は弾性材料で製造されることを特徴とする請求項８に記載の負圧形成装置。
【請求項１０】
前記排気孔ストッパー（３５３’）は前記吸引口（１Ａ）から離れている前記ピストン本体（３１）の一側に固定されるストッパー本体（３５５）および周囲壁部（３５９）を含み、前記ストッパー本体（３５５）は前記排気孔（３５１）と連通状態にされている貫通孔（３５６’）を具備し、前記周囲壁部（３５９）は前記貫通孔（３５６’）の内部辺縁部から前記第二中空部（１Ｃ）の内部に延伸し、前記周囲壁部（３５９）は弾性材料で製造されかつ前記貫通孔（３５６’）を塞ぐことを特徴とする請求項８に記載の負圧形成装置。
【請求項１１】
前記中空部（１）は開口（１１Ａ）を具備している剛性中空部（１１）と柔軟性気嚢（１３）を含み、前記ピストン（３、３’、３’’）は前記剛性中空部（１１）内に取り付けられ、前記柔軟性気嚢（１３）は前記剛性中空部（１１）の前記開口（１１Ａ）に連結され、前記柔軟性気嚢（１３）は前記開口（１１Ａ）と連通状態にされている気体通路（１３Ａ）を具備し、前記開口（１１Ａ）から離れている前記気体通路（１３Ａ）の一端には前記吸引口（１Ａ）が形成されていることを特徴とする請求項１に記載の負圧形成装置。
【請求項１２】
前記剛性中空部（１１）は、前記ピストン（３、３’、３’’）の移動方向に延伸しかつ前記開口（１１Ａ）を包囲するように形成される第一中空壁部（１１１）と、前記開口（１１Ａ）から離れている前記第一中空壁部（１１１）の一端に形成される第二中空壁部（１１３）とを含み、前記第二中空壁部（１１３）内には伝動部品（７）が移動可能に取り付けられ、前記伝動部品（７）は前記ピストン（３、３’、３’’）と前記駆動装置（５）に連結されることを特徴とする請求項１１に記載の負圧形成装置。
【請求項１３】
前記第二中空壁部（１１３）上には漏洩孔（１１５）が形成されていることを特徴とする請求項１２に記載の負圧形成装置。
【請求項１４】
前記伝動部品（７）と前記第二中空壁部（１１３）との間には自動潤滑型アクスルスリーブ（６）が取り付けられていることを特徴とする請求項１２に記載の負圧形成装置。
【請求項１５】
前記駆動装置（５）は伝動モジュール（５１）とモーター（５３）を含み、前記モーター（５３）は前記伝動モジュール（５１）により前記伝動部品（７）に連結され、前記伝動モジュール（５１）は、エキセントリック伝動構造、カム、ボールスクリューのうちいずれか一種であることを特徴とする請求項１２に記載の負圧形成装置。
【請求項１６】
前記伝動モジュール（５１）は伝動をするように連結されるエキセントリック部品（５１１）とコネクティングロッド（５１３）を含み、前記エキセントリック部品（５１１）は前記モーター（５３）に連結され、前記コネクティングロッド（５１３）は前記伝動部品（７）に連結されることを特徴とする請求項１５に記載の負圧形成装置。
【請求項１７】
前記駆動装置（５）は電磁気駆動装置であり、その電磁気駆動装置（５）は第一磁性部品と前記伝動部品（７）に連結される第二磁性部品を含み、前記第一磁性部品と前記第二磁性部品のうちいずれか１つはコイルであり、他の１つは誘磁体であり、前記コイルに電気を印加するとき、前記第一磁性部品と前記第二磁性部品との間の作用力により前記ピストン（３、３’、３’’）が往復移動をするように駆動することを特徴とする請求項１２に記載の負圧形成装置。
【請求項１８】
前記中空部（１）の外周面には加熱コイル（９）または半導体冷却板（９）が取り付けられることを特徴とする請求項１に記載の負圧形成装置。
【請求項１９】
請求項１〜１８のうちいずれか一項に記載の負圧形成装置を含むことを特徴とする負圧マッサージ装置。
【考案の詳細な説明】
【技術分野】
【０００１】
本考案は、マッサージ装置の技術分野に属し、具体的に、負圧形成装置および負圧マッサージ装置に関するものである。
【背景技術】
【０００２】
生活のリズムが加速化することにより、仕事による圧力も増加している。一日の仕事をすることにより体が疲れ、だるくて痛くなるおそれがある。疲労と痛みを抑制するため、人々はいろいろなマッサージ装置、例えば負圧マッサージで全身をマッサージする場合が多い。負圧マッサージは皮膚を吸引するとともにリラックスさせることにより疲労と痛みを抑制し、体調を整える目的を獲得することができる。しかしながら、従来の技術の負圧マッサージは皮膚を吸引する効果がよくないという欠点を有している。
【０００３】
そのため、従来の技術の負圧マッサージを改良することにより前記欠点を解決する必要がある。
【考案の概要】
【考案が解決しようとする課題】
【０００４】
本考案の目的は、吸引の効果を向上させることができる負圧形成装置と、その負圧形成装置を用いる負圧マッサージ装置とを提供することにある。
【課題を解決するための手段】
【０００５】
本考案の技術的事項は次のとおりである。
本考案の負圧形成装置は、吸引口が形成されている中空部と、該中空部内に取り付けられるピストンと、該ピストンが前記中空部内において往復移動をするように駆動することにより前記吸引口に負圧を形成する駆動装置とを含む。
【０００６】
好ましくは、前記ピストンは、ピストン本体と、該ピストン本体の外周に取り付けられることにより前記ピストンと前記中空部の壁部との間の隙間を密閉するシーリングリングとを含む。
【０００７】
好ましくは、前記ピストン本体の外周には密閉用凹部が形成され、前記シーリングリングは前記密閉用凹部内に取り付けられる。
【０００８】
好ましくは、前記シーリングリングは、前記ピストン本体と間隔を空いて形成される円弧部と、前記ピストンの往復移動方向の両端から前記密閉用凹部側にそれぞれ延伸しかつ前記密閉用凹部に連結される固定部とを含み、前記円弧部、前記固定部および前記ピストン本体により収縮空間が形成され、前記円弧部は前記収縮空間側に収縮することができる。
【０００９】
好ましくは、前記負圧形成装置はマッサージ部品を更に含み、前記マッサージ部品は、前記吸引口に向いている前記ピストン本体の一側に固定される固定支持部と、前記ピストン本体から離れている前記固定支持部の一側に形成される少なくとも１つのマッサージ突起とを含む。
【００１０】
好ましくは、前記マッサージ部品と前記シーリングリングは一体に成型され、前記固定支持部の周辺は前記シーリングリングに連結される。
【００１１】
前記中空部は前記ピストンにより第一中空部と第二中空部に分割され、前記第一中空部と前記吸引口は連通状態にされ、前記ピストンは前記第一中空部と前記第二中空部を連通状態にする単方向性排気構造を含む。
【００１２】
好ましくは、前記単方向性排気構造は、前記ピストン本体を貫通するように形成されかつ前記第一中空部と前記第二中空部を連通状態にする排気孔と、前記ピストン本体上に取り付けられかつ前記第一中空部から離れている前記排気孔の一側を塞ぐ排気孔ストッパーとを含む。
【００１３】
好ましくは、前記排気孔ストッパーは、前記吸引口から離れている前記ピストン本体の一側に固定されるストッパー本体と、前記排気孔を塞ぐ塞ぎ部分とを含み、前記塞ぎ部分は弾性材料で製造される。
【００１４】
好ましくは、前記排気孔ストッパーは前記吸引口から離れている前記ピストン本体の一側に固定されるストッパー本体および周囲壁部を含み、前記ストッパー本体は前記排気孔と連通状態にされている貫通孔を具備し、前記周囲壁部は前記貫通孔の内部辺縁部から前記第二中空部の内部に延伸している。前記周囲壁部は弾性材料で製造されかつ前記貫通孔を塞ぐ。
【００１５】
好ましくは、前記中空部は開口を具備している剛性中空部と柔軟性気嚢を含み、前記ピストンは前記剛性中空部内に取り付けられ、前記柔軟性気嚢は前記剛性中空部の前記開口に連結され、前記柔軟性気嚢は前記開口と連通状態にされている気体通路を具備し、前記開口から離れている前記気体通路の一端には前記吸引口が形成されている。
【００１６】
好ましくは、前記剛性中空部は、前記ピストンの移動方向に延伸しかつ前記開口を包囲するように形成される第一中空壁部と、前記開口から離れている前記第一中空壁部の一端に形成される第二中空壁部とを含み、前記第二中空壁部内には伝動部品が移動可能に取り付けられ、前記伝動部品は前記ピストンと前記駆動装置に連結される。
【００１７】
好ましくは、前記第二中空壁部上には漏洩孔が形成されている。
【００１８】
好ましくは、前記伝動部品と前記第二中空壁部との間には自動潤滑型アクスルスリーブが取り付けられている。
【００１９】
好ましくは、前記駆動装置は伝動モジュールとモーターを含み、前記モーターは前記伝動モジュールにより前記伝動部品に連結される。前記伝動モジュールは、エキセントリック伝動構造、カム、ボールスクリューのうちいずれか一種である。
【００２０】
好ましくは、前記伝動モジュールは伝動をするように連結されるエキセントリック部品とコネクティングロッドを含み、前記エキセントリック部品は前記モーターに連結され、前記コネクティングロッドは前記伝動部品に連結される。
【００２１】
好ましくは、前記駆動装置は電磁気駆動装置であり、その電磁気駆動装置は第一磁性部品と前記伝動部品に連結される第二磁性部品を含み、前記第一磁性部品と前記第二磁性部品のうちいずれか１つはコイルであり、他の１つは誘磁体であることができる。前記コイルに電気を印加するとき、前記第一磁性部品と前記第二磁性部品との間の作用力により前記ピストンが往復移動をするように駆動することができる。
【００２２】
好ましくは、前記第一中空壁部の外周面には加熱コイルまたは半導体冷却板が取り付けられる。
【００２３】
本考案は負圧マッサージ装置を更に提供し、その負圧マッサージ装置はいずれか１つの前記負圧形成装置を含む。
【考案の効果】
【００２４】
従来の技術と比較してみると、本考案の負圧形成装置は中空部内にピストンを取り付け、駆動装置でピストンが中空部内において往復移動をするように駆動することにより吸引口に負圧を形成し、それにより吸引の効果を向上させることができる。
【図面の簡単な説明】
【００２５】
【図１】本考案の負圧形成装置の実施例一を示す分解図である。
【図２】図１の負圧形成装置が組み立てられた後の構造を示す図である
【図３】図２の負圧形成装置を示す断面図である。
【図４】図３の負圧形成装置中のａ部分を示す拡大図である。
【図５】本考案の負圧形成装置の実施例二の一部分の構造を示す図である。
【図６】図５に示される構造中のマッサージ部品とシーリングリングの構造を示す図である。
【図７】本考案の負圧形成装置の実施例三の構造を示す図である。
【図８】図７に示される負圧形成装置中の排気孔ストッパーの構造を示す図である。
【図９】図７の負圧形成装置が組み立てられた後の構造を示す図である。
【図１０】図９の負圧形成装置を示す断面図である。
【図１１】本考案の負圧形成装置の実施例四の構造を示す図である。
【図１２】図１１に示される負圧形成装置中の排気孔ストッパーの構造を示す図である。
【図１３】図１２の排気孔ストッパーを示す底面図である。
【図１４】単方向性排気構造を具備している負圧形成装置中のマッサージ部品とシーリングリングの構造を示す図である。
【考案を実施するための形態】
【００２６】
以下、本考案の実施例中の図面により本考案の実施例に係る技術的事項を詳細に、完璧に説明する。注意されたいことは、下記実施例は、本考案の一部分の例示にしか過ぎないものであり、すべての実施例を示すものでない。本考案の実施例を参照することによりこの技術分野の技術者は創造的な考案をしないので、他の実施例を想到することができ、そのような実施例があっても本考案の実用新案登録請求の範囲に含まれることは勿論である。
【００２７】
実施例一
図１〜図４を参照すると、負圧形成装置は、吸引口１Ａが形成されている中空部１と、該中空部１内に取り付けられるピストン３と、該ピストン３が前記中空部１内において往復移動をするように駆動することにより前記吸引口１Ａに負圧を形成する駆動装置５とを含む。前記中空部１は前記ピストン３により第一中空部１Ｂと第二中空部１Ｃに分割され、前記第一中空部１Ｂと前記吸引口１Ａは連通状態にされている。前記負圧形成装置を使用するとき、前記吸引口１Ａを人体の所定の部位に接触させ、前記ピストン３が前記吸引口１Ａから離れる方向に移動するように駆動装置５でピストン３を駆動する。そのとき、前記第一中空部１Ｂの体積が増加することにより負圧が形成さ、前記吸引口１Ａにも負圧が形成される。
【００２８】
前記中空部１は開口１１Ａを具備している剛性中空部１１と柔軟性気嚢１３を含み、前記ピストン３は前記剛性中空部１１内に取り付けられ、前記柔軟性気嚢１３は前記剛性中空部１１の前記開口１１Ａに連結され、前記柔軟性気嚢１３は前記開口１１Ａと連通状態にされている気体通路１３Ａを具備し、前記開口１１Ａから離れている前記気体通路１３Ａの一端には前記吸引口１Ａが形成されている。
【００２９】
本実施例において、前記柔軟性気嚢１３と前記剛性中空部１１は一体に成型される。注意されたいことは、前記柔軟性気嚢１３と前記剛性中空部１１は接着剤等により連結されることもできる。
【００３０】
図３に示すとおり、前記剛性中空部１１は、前記ピストン３の移動方向に延伸しかつ前記開口１１Ａを包囲するように形成される第一中空壁部１１１と、前記開口１１Ａから離れている前記第一中空壁部１１１の一端に形成される第二中空壁部１１３とを含む。前記第二中空壁部１１３内には伝動部品７が移動可能に取り付けられる。前記伝動部品７は前記ピストン３と前記駆動装置５に連結され、前記駆動装置５は前記伝動部品７が移動するように駆動することにより前記ピストン３が前記中空部１内において往復移動をするように駆動する。
【００３１】
図３に示すとおり、前記第二中空壁部１１３と前記伝動部品７との間には自動潤滑型アクスルスリーブ（axle  sleeve）６が取り付けられることにより、前記伝動部品７は前記第二中空壁部１１３内に移動可能に挿入され、かつ前記伝動部品７が移動する抵抗力を低減することができる。
【００３２】
本実施例において、前記第二中空壁部１１３上には第二中空壁部を貫通する漏洩孔１１５が形成されている。図１に示すとおり、前記漏洩孔１１５の数量は複数個である。前記漏洩孔１１５が形成されていることにより、前記ピストン３が前記吸引口１Ａから離れる方向に移動するとき、前記第二中空部１Ｃ内の空気は前記漏洩孔１１５により外部へ排出されるので、前記ピストン３が前記吸引口１Ａから離れる方向に移動するときの抵抗力を低減することができる。好ましくは、前記漏洩孔１１５は前記ピストン３の移動方向に前記第二中空壁部１１３を貫通する。
【００３３】
前記ピストン３は、ピストン本体３１と、該ピストン本体３１の外周に取り付けられることにより前記ピストン３と前記中空部１の壁部との間の隙間を密閉するシーリングリング（sealing  ring）３３とを含む（すなわち、前記ピストン３と前記第一中空壁部１１１との間の隙間は前記シーリングリング３３により密閉される）。
【００３４】
前記伝動部品７は前記ピストン本体３１に固定連結される。
【００３５】
本実施例において、前記ピストン本体３１の外周には密閉用凹部３１１が形成され、前記シーリングリング３３は前記密閉用凹部３１１内に取り付けられる。
【００３６】
本実施例において、前記シーリングリング３３は、前記ピストン本体３１と間隔を空いて形成される円弧部３３１と、前記ピストン３の往復移動方向の両端から前記密閉用凹部３１１側にそれぞれ延伸しかつ前記密閉用凹部３１１に連結される固定部３３３とを含む。前記円弧部３３１、前記固定部３３３および前記ピストン本体３１により収縮空間３３Ａが形成され、前記円弧部３３１が前記収縮空間３３Ａ側に収縮することにより、前記ピストン３が前記中空部１内において往復移動をするときそのピストンがジャミング（jamming）されることを防止することができる。注意されたいことは、他の実施例において、前記シーリングリング３３として従来技術において常用しているＯ型シーリングリング、例えばゴム製シーリングリングを用いることができる。
【００３７】
図４に示すとおり、前記円弧部３３１の曲率中心（centre  of  curvature）は前記収縮空間３３Ａに向く位置に位置する。
【００３８】
前記駆動装置５は伝動モジュール５１とモーター５３を含み、前記モーター５３は前記伝動モジュール５１により前記伝動部品７に連結される。前記伝動モジュール５１は、エキセントリック（Eccentric）伝動構造、カム、ボールスクリュー（Ball  screw）のうちいずれか一種であることができる。
【００３９】
本実施例において、前記伝動モジュール５１はエキセントリック伝動構造である。前記伝動モジュール５１は伝動をするように連結されるエキセントリック部品５１１とコネクティングロッド（connecting  rod）５１３を含む。前記エキセントリック部品５１１は前記モーター５３に連結され、前記コネクティングロッド５１３は前記伝動部品７に連結される。負圧形成装置が作動するとき、前記モーター５３は前記エキセントリック部品５１１、前記コネクティングロッド５１３および前記伝動部品７により前記ピストン３が前記中空部１内において往復移動をするように駆動する。
【００４０】
実施例二
図５と図６を参照すると、実施例二と実施例一の相違点は負圧形成装置がマッサージ部品４を更に含むことにある。前記マッサージ部品４は、前記吸引口１Ａに向いている前記ピストン本体３１の一側に固定される固定支持部４１と、前記ピストン本体３１から離れている前記固定支持部４１の一側に形成される複数個のマッサージ突起４３とを含む。前記マッサージ突起４３の少なくとも一部分は前記吸引口１Ａから突出することができる。具体的に、前記ピストン３は前記吸引口１Ａに向いて最遠距離まで移動するとき、前記マッサージ突起４３の少なくとも一部分は前記吸引口１Ａから突出するので、前記マッサージ突起４３で人体の所定の部位をマッサージすることにより使用者の使い心地を向上させることができる。
【００４１】
本実施例において、前記マッサージ部品４と前記シーリングリング３３は一体に成型され、前記固定支持部４１の周辺は前記シーリングリング３３に連結されることができる。注意されたいことは、他の実施例において、前記マッサージ部品４と前記シーリングリング３３は別々に成型される２つの部品であることができる（即ち前記マッサージ部品４と前記シーリングリング３３は一体に成型されていない）。その場合、前記マッサージ部品４は接着手段により前記シーリングリング３３に接着されることができる。
【００４２】
実施例三
図７〜図１０を一緒に参照すると、実施例三と実施一の相違点は前記ピストン３’が前記第一中空部１Ｂと前記第二中空部１Ｃを連通状態にする単方向性排気構造３５を更に含むことにある。前記ピストン３’が前記吸引口１Ａ側に移動するとき、前記単方向性排気構造３５は前記第一中空部１Ｂ内の気圧により前記第一中空部１Ｂと前記第二中空部１Ｃを連通状態にする。前記ピストン３’が前記吸引口１Ａから離れる方向に移動するとき、前記単方向性排気構造３５は前記第二中空部１Ｃ内の気圧により前記第一中空部１Ｂと前記第二中空部１Ｃを隔離状態にする。前記単方向性排気構造３５が設けられているので、前記ピストン３’が前記吸引口１Ａから離れる方向に移動するとき前記吸引口１Ａに負圧が形成されることができる。また、前記ピストン３’が前記吸引口１Ａ側に移動するとき、前記第一中空部１Ｂは前記単方向性排気構造３５により気体を前記第二中空部１Ｃ側に排出するので、第二中空部１Ｃと外部は連通状態にされることができ、それにより前記ピストン３’が前記吸引口１Ａ側に移動する抵抗力を低減することができる。
【００４３】
前記単方向性排気構造３５は、前記ピストン本体３１を貫通するように形成されかつ前記第一中空部１Ｂと前記第二中空部１Ｃを連通状態にする排気孔３５１と、前記ピストン本体３１上に取り付けられかつ前記第一中空部１Ｂから離れている前記排気孔３５１の一側を塞ぐ排気孔ストッパー３５３とを含む。前記ピストン３’が前記吸引口１Ａ側に移動するとき、前記第一中空部１Ｂ内の気圧により前記排気孔３５１を塞ぐ前記排気孔ストッパー３５３が開けられるので、前記第一中空部１Ｂと前記第二中空部１Ｃは連通状態にされることができる。前記ピストン３’が前記吸引口１Ａから離れる方向に移動するとき、前記排気孔ストッパー３５３は前記第二中空部１Ｃ内の気圧により前記排気孔３５１を塞ぐので、前記第一中空部１Ｂと前記第二中空部１Ｃは隔離状態にされることができる。
【００４４】
図８と図１０に示すとおり、前記排気孔ストッパー３５３は略環状薄膜であり、その排気孔ストッパー３５３は弾性変形をすることができる。例えば前記排気孔ストッパー３５３がシリカゲル材料で製造され、その排気孔ストッパー３５３は柔軟性と弾性を具備することができる。具体的に、図８に示すとおり、前記排気孔ストッパー３５３は、前記吸引口１Ａから離れている前記ピストン本体３１の一側に固定されるストッパー本体３５５と、前記排気孔３５１を塞ぐ塞ぎ部分３５７とを含む。前記ストッパー本体３５５には貫通孔３５６が形成され、前記塞ぎ部分３５７は前記貫通孔３５６の内部辺縁部の一部分が前記貫通孔３５６内に延伸することにより形成され、前記塞ぎ部分３５７は前記貫通孔３５６内で移動することができる。
【００４５】
前記ピストン３’が前記吸引口１Ａから離れる方向に移動することにより前記第一中空部１Ｂの体積が増加するとともに第一中空部１Ｂ内の気圧が低下するとき（すなわち前記第一中空部１Ｂ内の気圧と前記第二中空部１Ｃ内の気圧の気圧差が前記塞ぎ部分３５７の弾性変形の抵抗力を克服することができないとき）、前記第一中空部１Ｂ内に負圧が形成されることにより吸引口１Ａに吸引力が形成される。第一中空部１Ｂ内の負圧により、前記塞ぎ部分３５７は前記排気孔３５１を塞ぐことにより前記第一中空部１Ｂと前記第二中空部１Ｃとの間の連通状態を遮断することができる。前記第一中空部１Ｂの体積が増加し続けるとき、前記塞ぎ部分３５７は前記第二中空部１Ｃ内の気圧により前記排気孔３５１を塞ぐ状態を維持し、それにより第一中空部１Ｂと第二中空部１Ｃが密閉される状態を維持し、かつ吸引口１Ａの吸引状態を維持することができる。
【００４６】
前記ピストン３’が前記吸引口１Ａ側に移動するとき、前記ピストン３’の移動により第一中空部１Ｂの体積が減少するとともに第一中空部１Ｂ内の負圧がなくなる。前記ピストン３’が前記第一中空部１Ｂを圧縮することにより前記第一中空部１Ｂ内の気圧が増加する。前記第一中空部１Ｂ内の気圧が増加する（前記第一中空部１Ｂ内の気圧と前記第二中空部１Ｃ内の気圧より大きい）ことにより前記塞ぎ部分３５７の弾性変形の抵抗力を克服することができるとき、前記塞ぎ部分３５７が前記第一中空部１Ｂ内の気圧により弾性変形をしかつ第一中空部１Ｂ内の気体を排出するように前記排気孔３５１を開けるので、前記ピストン３’が移動する抵抗を低減することができる。
【００４７】
前記ストッパー本体３５５は接着手段により前記ピストン本体３１に固定連結されることができる。
【００４８】
図７と図８に示すとおり、前記排気孔３５１の数量は複数個であり、前記貫通孔３５６と前記塞ぎ部分３５７の数量も複数個であることができる。
【００４９】
本実施例において、中空部１には加熱コイル９または半導体冷却板（semiconductor  chilling  plate）９が取り付けられている。具体的に、前記第一中空壁部１１１の外周面には半導体冷却板９が更に取り付けられている。前記半導体冷却板９はその発熱端が前記第一中空壁部１１１に近づくように取り付けられるか或いはその冷却端が前記第一中空壁部１１１に近づくように取り付けられることができる。半導体冷却板９で人体の所定の部位と接触する前記柔軟性気嚢１３の温度を調節することによりマッサージの体験を向上させることができる。注意されたいことは、他の実施例において、前記半導体冷却板９の代わりに加熱コイル９を用いることができる。
【００５０】
図１に示すとおり、前記シーリングリング３３’は従来技術において常用しているＯ型シーリングリング、例えばゴム製シーリングリングであることができる。注意されたいことは、本実施例において、前記シーリングリング３３’として実施例一のシーリングリングを用いることもできる。（即ち前記シーリングリング３３’は、前記ピストン本体３１と間隔を空いて形成される円弧部３３１と、前記ピストン３’の往復移動方向の両端から前記密閉用凹部３１１側にそれぞれ延伸しかつ前記密閉用凹部３１１に連結される固定部３３３とを含む。前記円弧部３３１、前記固定部３３３および前記ピストン本体３１により収縮空間３３Ａが形成され、前記円弧部３３１は前記収縮空間３３Ａ側に収縮することができる）。
【００５１】
実施例四
図１１〜図１３を参照すると、実施例四と実施例三の相違点は、前記排気孔ストッパー３５３’が前記吸引口１Ａから離れている前記ピストン本体３１の一側に固定されるストッパー本体３５５’および周囲壁部３５９を含むことにある。前記ストッパー本体３５５’は前記排気孔３５１と連通状態にされている貫通孔３５６’を具備し、前記周囲壁部３５９は前記貫通孔３５６’の内部辺縁部から前記第二中空部１Ｃの内部に延伸している。
【００５２】
周囲壁部３５９は弾性材料で製造され、周囲壁部３５９により前記貫通孔３５６’と連通状態にされる通路３５８が形成される。静止状態において、周囲壁部３５９は自身の弾力により通路３５８を完全に密閉するか或いは通路３５８を基本的に密閉する（隙間が形成される状態）。
【００５３】
前記ピストン３’’が前記吸引口１Ａから離れる方向に移動することにより前記第一中空部１Ｂの体積が増加するとともに第一中空部１Ｂ内の気圧が低下するとき（すなわち前記第一中空部１Ｂ内の気圧と前記第二中空部１Ｃ内の気圧の気圧差が前記周囲壁部３５９の弾性変形の抵抗力を克服することができないとき）、前記第一中空部１Ｂ内に負圧が形成されることにより吸引口１Ａに吸引力が形成される。第一中空部１Ｂ内の負圧により前記周囲壁部３５９は前記貫通孔３５６’と前記第二中空部１Ｃとの間の連通状態を遮断し、前記第一中空部１Ｂの体積が増加し続けると、前記周囲壁部３５９は第二中空部１Ｃ内の気圧により前記貫通孔３５６’を塞ぐ状態を維持する。
【００５４】
前記ピストン３’’が前記吸引口１Ａ側に移動するとき、前記ピストン３’’の移動により第一中空部１Ｂの体積が減少するとともに第一中空部１Ｂ内の負圧がなくなる。前記ピストン３’’が前記第一中空部１Ｂを圧縮することにより前記第一中空部１Ｂ内の気圧が増加する。前記第一中空部１Ｂ内の気圧が増加する（前記第一中空部１Ｂ内の気圧と前記第二中空部１Ｃ内の気圧より大きい）ことにより前記周囲壁部３５９の弾性変形の抵抗力を克服することができるとき、前記周囲壁部３５９は前記第一中空部１Ｂ内の気圧により弾性変形をするとともに通路３５８を開けることができる。そのとき、通路３５８により前記貫通孔３５６’と前記第二中空部１Ｃは連通状態にされる（前記貫通孔３５６’と前記第二中空部１Ｃとの間は前記貫通孔３５６’、前記通路３５８および前記排気孔３５１により連通状態にされる）。
【００５５】
注意されたいことは、単方向性排気構造は実施例三と実施例四の単方向性排気構造にのみ限定されるものでなく、例えば単方向性排気構造は前記ピストン本体３１を貫通するように設けられかつ当該ピストン本体３１に固定される単方向性バルブであることができる。実施例三、実施例四の単方向性排気構造の排気孔ストッパー３５３、３５３’は硬性材料で製造される平板形状の排気孔ストッパーであることもできる。その場合、平板形状の排気孔ストッパーとピストン本体３１との間はスプリングにより連結されることができる。前記第一中空部１Ｂ内の気圧が増加する（前記第一中空部１Ｂ内の気圧と前記第二中空部１Ｃ内の気圧より大きい）ことにより前記スプリングの弾性変形の抵抗力を克服することができるとき、前記平板形状の排気孔ストッパーは前記第一中空部１Ｂ内の気圧により前記排気孔３５１を開けることができる。前記ピストンが前記吸引口１Ａから離れる方向に移動することにより前記第一中空部１Ｂの体積が増加するとともに第一中空部１Ｂ内の気圧が低下するとき（すなわち前記第一中空部１Ｂ内の気圧と前記第二中空部１Ｃ内の気圧の気圧差がスプリングの弾性変形の抵抗力を克服することができないとき）、平板形状の排気孔ストッパーは前記排気孔３５１を塞ぐことにより前記第一中空部１Ｂと前記第二中空部１Ｃとの間の連通状態を遮断することができる。前記第一中空部１Ｂの体積が増加し続けるとき、平板形状の排気孔ストッパーは第二中空部１Ｃ内の気圧により前記排気孔３５１を塞ぐ状態を維持することができる。
【００５６】
注意されたいことは、単方向性排気構造を具備している負圧形成装置は実施例三と実施例四の負圧形成装置にのみ限定されるものでなく、例えば図１４に示すとおり、単方向性排気構造を具備している負圧形成装置は図１４中のマッサージ部品４を更に含むことができる。前記マッサージ部品４は、前記吸引口１Ａに向いている前記ピストン本体３１の一側に固定される固定支持部４１と、前記ピストン本体３１から離れている前記固定支持部４１の一側に形成される複数個のマッサージ突起４３とを含む。前記マッサージ突起４３の少なくとも一部分は前記吸引口１Ａから突出することができる。単方向性排気構造は前記第一中空部１Ｂと前記第二中空部１Ｃを連通状態にし、前記固定支持部４１上には固定支持部４１を貫通しかつ前記排気孔３５１と連通状態にされる通気孔４１１が形成されている。図１４に示すとおり、前記マッサージ部品４と前記シーリングリング３３は一体に成型され、前記固定支持部４１の周辺は前記シーリングリング３３に連結されることができる。
【００５７】
注意されたいことは、前記駆動装置５の構造は実施例一〜実施例四の構造にのみ限定されるものでなく、例えば前記駆動装置５は電磁気駆動装置であることもできる。その場合、その電磁気駆動装置は第一磁性部品と前記伝動部品に連結される第二磁性部品を含み、前記第一磁性部品と前記第二磁性部品のうちいずれか１つはコイルであり、他の１つは誘磁体であることができる。前記コイルに電気を印加するとき、前記第一磁性部品と前記第二磁性部品との間の作用力により前記ピストンが往復移動をするように駆動することができる。
【００５８】
磁石は永久磁石であるか或いは電磁石である。
【００５９】
本考案は負圧マッサージ装置を更に提供し、その負圧マッサージ装置は前記負圧形成装置を含む。
【００６０】
以上、本考案の実施例を詳述してきたが、前記実施例は本考案の例示にしか過ぎないものであるため、本考案は前記実施例の構成にのみ限定されるものでない。この技術分野の技術者は本考案の要旨を逸脱しない範囲内において設計の変更、改良等をすることができ、それらがあっても本考案に含まれることは勿論である。
【図１】
0003234244.tif 000003
【図２】
0003234244.tif 000004
【図３】
0003234244.tif 000005
【図４】
0003234244.tif 000006
【図５】
0003234244.tif 000007
【図６】
0003234244.tif 000008
【図７】
0003234244.tif 000009
【図８】
0003234244.tif 000010
【図９】
0003234244.tif 000011
【図１０】
0003234244.tif 000012
【図１１】
0003234244.tif 000013
【図１２】
0003234244.tif 000014
【図１３】
0003234244.tif 000015
【図１４】
0003234244.tif 000016